(57)【要約】【課題】受信機が受信した音声コンポーネントから音声を再生できるかという判定を、従来よりも迅速に行う。【解決手段】放送信号送信装置（１）は、放送信号受信装置（２）にデジタル放送信号を送信するものであって、コンテンツを変換した複数のパケットと、複数のパケットからコンテンツを再構成するための制御情報を含むパケットとを、デジタル放送信号として生成するパケット生成手段と、パケット生成手段が生成したデジタル放送信号を放送信号受信装置（２）に送信する送信手段と、を備えており、制御情報は、コンテンツの音声コンポーネントに関する属性情報を含み、属性情報は、コンテンツのサイマルキャストを特定するための情報を含み、かつ、属性情報は、属性情報を受信した放送信号受信装置（２）が、音声コンポーネントを放送信号受信装置（２）にて再生可能かを判定するために用いる情報である【選択図】図１
2018196130.tif 000002
【特許請求の範囲】
【請求項１】
放送信号受信装置にデジタル放送信号を送信する放送信号送信装置であって、
コンテンツを変換した複数のパケットと、前記複数のパケットから前記コンテンツを再構成するための制御情報を含むパケットとを、前記デジタル放送信号として生成するパケット生成手段と、
前記パケット生成手段が生成した前記デジタル放送信号を前記放送信号受信装置に送信する送信手段と、を備えており、
前記制御情報は、前記コンテンツの音声コンポーネントに関する属性情報を含み、
前記属性情報は、前記コンテンツのサイマルキャストを特定するための情報を含み、かつ、前記属性情報は、当該属性情報を受信した前記放送信号受信装置が、前記音声コンポーネントを前記放送信号受信装置にて再生可能かを判定するために用いる情報である、ことを特徴とする放送信号送信装置。
【請求項２】
放送信号受信装置にデジタル放送信号を送信する放送信号送信装置が実行する放送信号送信方法であって、
前記放送信号送信装置は、
コンテンツを変換した複数のパケットと、前記複数のパケットから前記コンテンツを再構成するための制御情報を含むパケットとを、前記デジタル放送信号として生成するパケット生成ステップと、
前記パケット生成ステップで生成した前記デジタル放送信号を前記放送信号受信装置に送信する送信ステップと、を実行し、
前記制御情報は、前記コンテンツの音声コンポーネントに関する属性情報を含み、
前記属性情報は、前記コンテンツのサイマルキャストを特定するための情報を含み、かつ、前記属性情報は、当該属性情報を受信した前記放送信号受信装置が、前記音声コンポーネントを前記放送信号受信装置にて再生可能かを判定するために用いる情報である、ことを特徴とする放送信号送信方法。
【請求項３】
請求項１に記載の放送信号送信装置としてコンピュータを機能させるための制御プログラムであって、コンピュータを前記各手段として機能させる制御プログラム。
【請求項４】
請求項３に記載の制御プログラムを記録したコンピュータ読み取り可能な記録媒体。
【発明の詳細な説明】
【技術分野】
【０００１】
本発明は、デジタル放送信号を送信する放送信号送信装置、放送信号送信方法、制御プログラム、および記録媒体に関する。
【背景技術】
【０００２】
近年、高精細度テレビジョン放送（ＨＤＴＶ）を超える飛躍的な高画質化に資する映像技術等の研究開発が急速に進展しており、４Ｋ・８Ｋに対応した超高精細度テレビジョン放送（ＵＨＤＴＶ）の実現が期待されている。このため、ＵＨＤＴＶの規格の策定が進められている。なお、４ＫのＵＨＤＴＶは、画素数が横3840×縦2160＝8,294,400であり、従来のフルＨＤＴＶ（横1920×縦1080＝2,073,600）の４倍である。また、８ＫのＵＨＤＴＶは、画素数が横7680×縦4320＝33,177,600であり、上記フルＨＤＴＶの１６倍である。
【先行技術文献】
【特許文献】
【０００３】
【特許文献１】特開平０６−１３２９１２号公報（１９９４年０５月１３日公開）
【発明の概要】
【発明が解決しようとする課題】
【０００４】
上記ＵＨＤＴＶの規格では、２２．２ｃｈの立体音響システムに対応している。また、上記ＵＨＤＴＶでは、上記ＨＤＴＶなどの従来のＴＶ放送で利用されている種々の音声フォーマットにも対応する必要がある。また、放送サービスと通信サービスとの連携が図られており、このため、通信サービスにて利用されている種々の音声フォーマットにも対応する必要がある。
【０００５】
このため、ＴＶ受信機などの受信機は、複数の音声フォーマットにそれぞれ対応する複数のファームウェアを予め記憶するメモリを備えている。そして、オーディオデコーダは、音声データを受信すると、まず、当該音声データのヘッダを解析して当該音声データの音声フォーマットを特定する。次に、上記オーディオデコーダは、特定した音声フォーマットに対応するファームウェアを上記メモリから読み出して、上記ファームウェアで上記オーディオデコーダの内蔵メモリを書き換える。そして、上記オーディオデコーダは、書き換えられたファームウェアに基づいて、当該音声データをデコードする。
【０００６】
これにより、上記受信機は、種々の音声フォーマットに対応することができる。しかしながら、この場合、上記音声データをデコードするまでに時間がかかることになる。その結果、上記受信機が音声データを受信してから、該音声データから再生された音声を出力するまでに時間がかかることになる。
【０００７】
また、上記受信機の全てが、２２．２ｃｈの立体音響システムに対応しているとは限らない。さらに、オーディオデコーダは、デバイス性能および内蔵メモリの制限により、通信サービスにて利用されている種々の音声フォーマットの全てに対応することは困難である。
【０００８】
このため、上記オーディオデコーダが、上記音声データのヘッダを解析して、当該音声データから音声を再生できないと判定すると、その旨を示すコーション（警告）を上記受信機が報知する必要がある。しかしながら、この場合も、上記オーディオデコーダが上記音声データのヘッダを解析する必要があるので、上記受信機が音声データを受信してから上記コーションを報知するまでに時間がかかることになる。
【０００９】
また、上記ヘッダはデータ長が通常制限される。したがって、対応可能な音声フォーマット、音声チャンネル数なども制限されることになる。これに対し、特許文献１に記載のオーディオパケットデコーダでは、オーディオデータとオーディオ制御情報とが互いに別のパケットに構成されている。該パケットからヘッダ情報をデコードすることにより、オーディオ制御情報を持つパケットと、オーディオデータを持つパケットとを識別できる。そして、オーディオ制御情報を持つパケットから取り出されたオーディオ制御情報を記憶し、記憶された制御情報を用いて、オーディオデータを持つパケットから音声情報を復元し、出力する。
【００１０】
これにより、より多くの音声フォーマット、音声チャンネル数などに対応することができる。しかしながら、特許文献１に記載のオーディオパケットデコーダでは、時間がかかるという上記問題点は解消されない。
【００１１】
本発明は、上記の問題点に鑑みてなされたものであり、その目的は、受信機が受信した音声データから音声を再生できるかという判定を、従来よりも迅速に行うことができる放送信号送信装置等を提供することにある。
【課題を解決するための手段】
【００１２】
本発明の一態様に係る放送信号送信装置は、放送信号受信装置にデジタル放送信号を送信する放送信号送信装置であって、コンテンツを変換した複数のパケットと、前記複数のパケットから前記コンテンツを再構成するための制御情報を含むパケットとを、前記デジタル放送信号として生成するパケット生成手段と、前記パケット生成手段が生成した前記デジタル放送信号を前記放送信号受信装置に送信する送信手段と、を備えており、前記制御情報は、前記コンテンツの音声コンポーネントに関する属性情報を含み、前記属性情報は、前記コンテンツのサイマルキャストを特定するための情報を含み、かつ、前記属性情報は、当該属性情報を受信した前記放送信号受信装置が、前記音声コンポーネントを前記放送信号受信装置にて再生可能かを判定するために用いる情報である、ことを特徴としている。
【００１３】
本発明の一態様に係る放送信号送信方法は、放送信号受信装置にデジタル放送信号を送信する放送信号送信装置が実行する放送信号送信方法であって、前記放送信号送信装置は、コンテンツを変換した複数のパケットと、前記複数のパケットから前記コンテンツを再構成するための制御情報を含むパケットとを、前記デジタル放送信号として生成するパケット生成ステップと、前記パケット生成ステップで生成した前記デジタル放送信号を前記放送信号受信装置に送信する送信ステップと、を実行し、前記制御情報は、前記コンテンツの音声コンポーネントに関する属性情報を含み、前記属性情報は、前記コンテンツのサイマルキャストを特定するための情報を含み、かつ、前記属性情報は、当該属性情報を受信した前記放送信号受信装置が、前記音声コンポーネントを前記放送信号受信装置にて再生可能かを判定するために用いる情報である、ことを特徴としている。
【発明の効果】
【００１４】
本発明の一態様によれば、受信機が受信した音声データから音声を再生できるかという判定を、従来よりも迅速に行うことができるという効果を奏する。
【図面の簡単な説明】
【００１５】
【図１】本発明の一実施形態に係る放送信号伝送システムに含まれる送信機および受信機の要部構成の一例を示すブロック図である。
【図２】上記放送信号伝送システムで送受信される、音声属性情報を含むＰＭＴの一例を示す図である。
【図３】上記ＰＭＴに格納される音声属性情報の具体例を表形式で示す図である。
【図４】上記受信機で実行される音声属性情報に関する処理の一例を示すフローチャートである。
【図５】本発明の別の実施形態に係る放送信号伝送システムの要部構成の一例を示すブロック図である。
【図６】上記放送信号伝送システムに含まれる受信機で実行される音声属性情報に関する処理の一例を示すフローチャートである。
【図７】本発明のさらに別の実施形態に係る放送信号伝送システムに含まれる受信機の要部構成の一例を示すブロック図である。
【図８】本発明の他の実施形態に係る放送信号伝送システムに含まれる受信機の要部構成の一例を示すブロック図である。
【図９】上記受信機における表示画面の一例を示す図である。
【図１０】上記受信機で実行される音声属性情報に関する処理の一例を示すフローチャートである。
【発明を実施するための形態】
【００１６】
〔実施形態１〕
以下、本発明の実施の形態について、詳細に説明する。まず、本実施形態に係る放送信号伝送システムの構成を図１に基づいて説明する。図１は、放送信号伝送システム５に含まれる送信機（放送信号送信装置）１および受信機（放送信号受信装置）２の要部構成の一例を示すブロック図である。
【００１７】
放送信号伝送システム５は、送信機１から受信機２に映像信号、音声信号等（以下、「映像信号等」と略称する。）を伝送するシステムである。放送信号伝送システム５は、多種多様なフォーマットで音声信号を送信することが可能である。なお、現行のデジタル放送では、ＭＰＥＧ−２（Moving Picture Experts Group phase 2）方式のＴＳ（Transport Stream、トランスポートストリーム）フォーマットで信号が送信されている。そこで、本実施形態では、ＴＳフォーマットにて映像信号等を伝送する例を説明する。
【００１８】
送信機１は、映像信号等の形態でコンテンツを送信する。より詳細には、送信機１は、放送経路（放送伝送路）にてコンテンツを構成する各パケット（ＴＳパケット）を送信する。一方の受信機２は、このコンテンツ（放送経路で配信されるコンテンツ）の受信機能を備えていると共に、例えばインターネット等の通信網を介して通信経路で配信されるコンテンツの受信機能も備えている。そして、受信機２は、これら２つの経路を介して受信した各コンテンツを組み合わせて再生することができる。なお、同図では、受信機２を１つのみ記載しているが、送信機１は複数の受信機２に対してコンテンツをブロードキャストする。
【００１９】
〔送信機の構成〕
送信機１は、図示のように、オーディオエンコーダ１０、ビデオエンコーダ１１、多重化部（パケット生成手段）１２、暗号化部１３、送信部１４、および制御部１５を備えている。また、制御部１５には、エンコード制御部１６、音声属性取得部（属性取得手段）１７、および制御情報生成部（パケット生成手段）１８が含まれている。
【００２０】
オーディオエンコーダ１０は、送信機１が送信するコンテンツのオーディオ（音声）ストリームをエンコード（符号化）して多重化部１２に出力する。同様に、ビデオエンコーダ１１は、送信機１が送信するコンテンツのビデオ（映像）ストリームをエンコード（符号化）して多重化部１２に出力する。
【００２１】
多重化部１２は、オーディオエンコーダ１０が出力したオーディオストリーム、ビデオエンコーダ１１が出力したビデオストリーム、および制御部１５が出力した制御情報を多重化してＴＳパケットに変換し、暗号化部１３に出力する。
【００２２】
暗号化部１３は、多重化部１２が出力するＴＳパケットを暗号化して送信部１４に出力する。そして、送信部１４は、暗号化部１３が出力する暗号化されたＴＳパケットを、デジタル放送信号の形態で放送経路にて受信機２に送信する。
【００２３】
制御部１５は、送信機１の備える各部の制御等を行う。具体的には、制御部１５に含まれるエンコード制御部１６は、オーディオエンコーダ１０およびビデオエンコーダ１１を制御してエンコードを行わせる。
【００２４】
音声属性取得部１７は、送信機１が送信するコンテンツの音声に関する属性情報である音声属性情報を取得し、取得した音声属性情報を制御情報生成部１８に出力する。ここで、「送信機１が送信するコンテンツ」には、送信機１が送信する予定であるコンテンツ、すなわち、放送予定のコンテンツも含まれる。
【００２５】
音声属性情報の例としては、音声フォーマット、音声のチャンネル数、サブウーファ（ＳＷ）のチャンネル数、サイマル放送の形態およびチャンネル、サンプリングレート、量子化ビット数などが挙げられる。これらのうち、音声フォーマット、音声のチャンネル数、サブウーファ（ＳＷ）のチャンネル数、サンプリングレート、および量子化ビット数は、エンコード制御部１６から取得することができる。一方、サイマル放送の形態およびチャンネルは、送信機１が送信（放送）するコンテンツ（番組）の詳細情報を提供する外部のサーバ（図示せず）などから取得することができる。なお、音声属性情報の詳細は後述する。
【００２６】
制御情報生成部１８は、送信機１が送信するコンテンツを受信機２が再構成するための制御情報を生成する。この制御情報は、ＴＳではＰＳＩ／ＳＩ（Program Specific Information / Service Information）と呼ばれるものであり、コンテンツに関する種々の情報が含まれるが、ここでは、ＰＳＩ／ＳＩのうち、コンテンツのプログラムに関する情報が記述されたＰＭＴ（Program Map Table、プログラムマップテーブル）の生成に絞って説明する。
【００２７】
このように、送信機１では、音声属性取得部１７が音声属性情報を取得する処理（音声属性取得ステップ）を実行する。一方、制御情報生成部１８は、多重化部１２における上記オーディオストリームおよび上記ビデオストリームからＴＳパケットへの変換を参照して、上記音声属性情報を含む制御情報（ＰＭＴ）を生成する処理を実行する。したがって、このＰＭＴを受信した受信機２において、該ＰＭＴと共に受信したコンテンツをその音声属性情報に応じた適切な処理を行って音声出力させたり、当該コンテンツの音声データに対応していない旨を示すコーションを報知させたりすることが可能になる。
【００２８】
なお、エンコード制御部１６は、送信機１が送信するコンテンツ毎に、各コンテンツの音声属性情報を取得し、制御情報生成部１８はこの音声属性情報を含むＰＭＴを生成する。このように、コンテンツ毎に、異なる音声属性情報を含むＰＭＴを生成することにより、常に最適な処理によってコンテンツを再生させることが可能になる。
【００２９】
〔受信機の構成〕
受信機２は、図示のように、チューナ２０、通信Ｉ／Ｆ２１、復号部２２、逆多重化部（再構成手段）２３、オーディオデコーダ２４、ビデオデコーダ２５、表示制御部２７、ディスプレイ２８、制御部２９、音声出力制御部３０、およびスピーカ３１を備えている。また、制御部２９には、復号制御部４０、逆多重化制御部（再構成手段）４１、および制御情報取得部（制御情報取得手段、判定手段）４２が含まれている。
【００３０】
チューナ２０は、放送経路にてデジタル放送信号として送信されるコンテンツ等を受信して復号部２２に出力する。一方、通信Ｉ／Ｆ２１は、通信経路にて送信されるコンテンツ等を受信して復号部２２に出力する。
【００３１】
復号部２２は、チューナ２０および通信Ｉ／Ｆ２１を介して受信したコンテンツが暗号化されていた場合、これを復号して逆多重化部２３に出力する。
【００３２】
逆多重化部２３は、復号部２２が出力するデータ（暗号は復号されているが多重化されている）を逆多重化する。そして、逆多重化によって得られた当該コンテンツの各構成要素（コンポーネント）を、当該コンポーネントの種別に応じて処理する。具体的には、逆多重化部２３では、オーディオのコンポーネントはオーディオデコーダ２４に出力し、ビデオのコンポーネントはビデオデコーダ２５に出力し、制御情報は制御情報取得部４２に出力する。
【００３３】
オーディオデコーダ２４は、逆多重化部２３が出力するオーディオコンポーネントを復号してオーディオデータを出力する。同様に、ビデオデコーダ２５は、逆多重化部２３が出力するビデオコンポーネントを復号してビデオデータを出力する。
【００３４】
表示制御部２７は、ビデオデータをディスプレイ２８に表示させる制御を行う。また、ディスプレイ２８は、表示制御部２７の制御に従ってビデオデータを表示する。一方、音声出力制御部３０は、オーディオデータをスピーカ３１に音声出力させる制御を行う。また、スピーカ３１は、音声出力制御部３０の制御に従ってオーディオデータを音声出力する。つまり、受信機２は、放送されるコンテンツの受信機能および再生（表示および音声出力）機能を備えたテレビジョン受像機である。なお、ディスプレイ２８およびスピーカ３１は、受信機２に外付けされた外部の装置であってもよい。
【００３５】
制御部２９は、受信した制御情報に従って受信機２の備える各部を制御する。具体的には、復号制御部４０は、復号部２２を制御してコンテンツの復号を行わせる。また、逆多重化制御部４１は、逆多重化部２３を制御してコンテンツの逆多重化を行わせる。
【００３６】
この点をより詳細に説明する。逆多重化部２３は、まず、制御情報（ＰＭＴ）を含むＴＳパケットを選択して、当該制御情報を取得し、取得した制御情報を制御情報取得部４２に出力する。制御情報取得部４２は、取得した制御情報を、逆多重化制御部４１に転送する。逆多重化制御部４１は、制御情報取得部４２からの制御情報を参照することにより、上記コンテンツのオーディオコンポーネントを含むＴＳパケットと、上記コンテンツのビデオコンポーネントを含むＴＳパケットとを特定することができる。
【００３７】
そして、逆多重化制御部４１は、逆多重化部２３を制御して、上記オーディオコンポーネントを含むＴＳパケットを選択して、該オーディオコンポーネントをオーディオデコーダ２４に出力させると共に、上記ビデオコンポーネントを含むＴＳパケットを選択して、該ビデオコンポーネントをビデオデコーダ２５に出力させる。これにより、上記ＴＳパケットは、上記制御情報、上記コンテンツのオーディオコンポーネント、および上記コンテンツのビデオコンポーネントに逆多重化されることになる。
【００３８】
本実施形態では、制御情報取得部４２は、取得した制御情報に、音声属性情報が含まれる場合には、上記コンテンツのオーディオコンポーネントから音声を受信機２にて再生可能か否かを判定する。この判定は、オーディオデコーダ２４が上記オーディオコンポーネントをデコードする前に行うことができるので、従来よりも迅速に行うことができる。
【００３９】
〔音声属性情報を含むＰＭＴの例〕
続いて、音声属性情報を含むＰＭＴの例を図２に基づいて説明する。図２は、音声属性情報を含むＰＭＴの一例を示す図である。図示のＰＭＴには、当該ＰＭＴのバージョンを示す記述子Ｄ１（version_number）と、ＰＭＴのプログラムＩＤを示す記述子Ｄ２（program_number）とが含まれていると共に、音声属性情報を含む記述子Ｄ３（descriptor()）が含まれている。
【００４０】
そして、記述子Ｄ３内には、当該記述子（descriptor）が音声属性情報に関する記述子であることを示す予め定めたタグdescriptor_tag、当該記述子の長さを示すdescriptor_length、および音声属性情報のデータ本体であるdata()が記述されている。なお、descriptor_tagの値は、記述子Ｄ３に音声属性情報に関する記述が含まれていることが特定できればよく、例えばデジタル放送における標準規格を定めたARIB STD-B21において、他の記述子を示すものとして使用されていない「0xF8」の値を用いてもよい。
【００４１】
ここで、一般にテレビ放送では、ソースが異なる映像および音声が連続して送信され、このような異なるソースの音声は音声属性がそれぞれ異なっている可能性がある。そこで、このようなケースに対応するため、制御情報生成部１８は、ソースが変化するときには、ＰＭＴ内の音声属性情報を更新するとともに、ＰＭＴのバージョン情報（記述子Ｄ１の値）も併せて更新する。そして、受信機２では、制御情報取得部４２が、ＰＭＴのバージョンが更新されるたびに音声属性情報をチェックし、更新があればオーディオデコーダ２４に新しい音声属性情報を伝達する。これにより、音声の変化に応じた適切な処理が可能となる。
【００４２】
図２の例では、descriptor_lengthは「0x14」の値であり、３２ビットである。また、data()には、音声属性情報として、音声のチャンネル数（ＣＨ１）、サブウーファ（ＳＷ）のチャンネル数（ＣＨ２）、音声フォーマット（Format）、音声のサンプリング周波数（Sampl_freq）、音声の量子化ビット数（Bit_rate）、ならびに、サイマル放送の形態（Simul）およびチャンネル（Simul_CH）が、それぞれコード化されて順番に格納される。図３は、図２に示すＰＭＴに格納される音声属性情報の具体例を表形式で示す図である。
【００４３】
本実施形態の放送信号伝送システム５は、超高詳細度テレビジョン放送システムに対応するものである。このため、図３の例では、音声フォーマット（Format）には、ＰＣＭ（Pulse Code Modulation）、ＭＰＥＧ２（Moving Picture Experts Group phase 2）−ＡＡＣ（Advanced Audio Coding）、ＭＰＥＧ４−ＡＡＣ、ＭＰＥＧ２−ＡＣ３（Audio Code number 3）等があり、それぞれが４ビットコードに割り当てられている。また、２２．２ｃｈの３次元音響に対応するため、音声のチャンネル数（ＣＨ１）は、０〜２４の範囲内であり、それぞれが５ビットコードに割り当てられ、また、ＳＷのチャンネル数（ＣＨ２）は、０〜２の範囲内であり、それぞれが２ビットコードに割り当てられている。さらに、音声のサンプリング周波数（ｋＨｚ）は、１６、２２．０５、２４、３２、４４．１、４８、９６、１９２等があり、それぞれが４ビットコードに割り当てられている。また、音声の量子化ビット数（bit）は、８、１０、１６、２４、３２等があり、それぞれが３ビットコードに割り当てられている。
【００４４】
ところで、サイマル放送とは、１つの放送局が同じ時間帯に同じ番組を、異なるチャンネル（周波数帯）、異なる放送方式、または異なる放送媒体で放送することをいう。図３の例では、サイマル放送の形態（Simul）には、地上デジタル放送、ＢＳ（Broadcasting Satellite）デジタル放送、ＣＳ（Communications Satellite）デジタル放送、インターネット等があり、それぞれが４ビットのコードに割り当てられている。また、サイマル放送のチャンネル（Simul_CH）には、１ｃｈ〜１０００ｃｈがあり、それぞれが１２ビットコードに割り当てられている。なお、サイマル放送としては、ワンセグ放送、ラジオ放送などを利用してもよい。
【００４５】
〔音声属性情報に関する受信機の処理〕
次に、音声属性情報に関する受信機２の処理について図４に基づいて説明する。図４は、音声属性情報に関して受信機２の制御情報取得部４２で実行される処理の一例を示すフローチャートである。
【００４６】
まず、制御情報取得部４２は、逆多重化部２３が出力する制御情報からＰＭＴを抽出し、抽出したＰＭＴから音声属性情報を取得する（Ｓ１）。具体的には、制御情報取得部４２は、抽出したＰＭＴから、descriptor_tagの値が、音声属性情報に予め割り当てられたタグの値（図２の例では0xF8）と一致するdescriptor（記述子）を抽出し、抽出した記述子を解析して、当該記述子に含まれる音声属性情報を取得する。
【００４７】
次に、制御情報取得部４２は、取得した音声属性情報から音声フォーマットを抽出し、抽出した音声フォーマットが、受信機２のオーディオデコーダ２４にてデコード可能なものであるか否かを判断し（Ｓ２）、デコード可能である場合（Ｓ２にてＹＥＳ）、上記音声属性情報から音声のチャンネル数を抽出し、抽出した音声のチャンネル数がオーディオデコーダ２４にてデコード可能なものであるか否かを判断する（Ｓ３）。デコード可能である場合（Ｓ３にてＹＥＳ）、制御情報取得部４２は、上記音声属性情報をオーディオデコーダ２４に送信して、当該音声属性情報に基づいて音声データのデコードを行うようにオーディオデコーダ２４に指示して（Ｓ４）、処理を終了する。
【００４８】
一方、上記音声フォーマットがオーディオデコーダ２４にてデコード不能である場合（Ｓ２にてＮＯ）、または、上記音声のチャンネル数がオーディオデコーダ２４にてデコード不能である場合（Ｓ３にてＮＯ）、制御情報取得部４２は、取得した音声属性情報からサイマル放送の形態およびチャンネルを取得し（Ｓ５）、上記サイマル放送が存在するか否かを判断する（Ｓ６）。上記サイマル放送が存在する場合（Ｓ６にてＹＥＳ）、制御情報取得部４２は、上記サイマル放送に切り替えて受信するようにチューナ２０を制御する（Ｓ７）。その後、ステップＳ１に戻って上記動作を繰り返す。
【００４９】
一方、上記サイマル放送が存在しない場合（Ｓ６にてＮＯ）、制御情報取得部４２は、音声データが非対応である旨のコーションをディスプレイ２８に表示するように、表示制御部２７に指示して（Ｓ８）、処理を終了する。
【００５０】
なお、図４に示すフローチャートでは、音声属性情報における音声フォーマットおよび音声のチャンネル数について、それぞれデコード可能か否かを判断しているが、ＳＷのチャンネル数、サンプリング周波数、量子化ビット数など、音声の再生に必要なその他の情報についても、それぞれデコード可能か否かを判断してもよい。この場合、図４に示すステップＳ２およびＳ３を、下記の処理に変更すればよい。
【００５１】
すなわち、制御情報取得部４２は、取得した音声属性情報から、音声の再生に必要な各種情報を抽出し、抽出した情報の全てが、受信機２のオーディオデコーダ２４にてデコード可能なものであるか否かを判断する（Ｓ２’）。デコード可能なものである場合（Ｓ２’にてＹＥＳ）、ステップＳ４に進む。一方、デコード不能なものである場合（Ｓ２’にてＮＯ）、ステップＳ５に進む。
【００５２】
〔変形例〕
なお、図３に示す音声属性情報に、サイマル放送における音声フォーマット、音声のチャンネル数、およびサブウーファ（ＳＷ）のチャンネル数が含まれていてもよい。この場合、図４のステップＳ７にてサイマル放送に切り替えた後、ステップＳ１〜Ｓ３を省略して、ステップＳ４を実行する、すなわち、上記サイマル放送の音声属性情報に基づいて音声データのデコードを行うようにオーディオデコーダ２４に指示すればよい。
【００５３】
〔実施形態２〕
本発明の別の実施形態について、図５および図６に基づいて説明すれば、以下のとおりである。なお、説明の便宜上、前記実施形態にて説明した部材と同じ機能を有する部材については、同じ符号を付記し、その説明を省略する。
【００５４】
ところで、受信機２では対応できない音声データであっても、受信機２に接続された外部の音声出力装置にて当該音声データに対応できる場合がある。そこで、本実施形態では、受信機２は、制御情報に含まれる音声属性情報に基づき上記の場合に該当すると判定すると、当該音声データに対しデコードは行わず、当該音声データをそのままの形式で音声出力装置（音声再生装置）６に転送している。これにより、上記音声データが自装置にて再生不能であっても、外部の音声出力装置６にて迅速に再生して出力することができる。
【００５５】
図５は、本実施形態に係る放送信号伝送システム５の要部構成の一例を示すブロック図である。本実施形態に係る放送信号伝送システム５は、図１に示す放送信号伝送システム５に比べて、受信機２と通信可能に接続された音声出力装置６が追加されている点が異なる。また、図５に示す受信機２は、図１に示す受信機２に比べて、切替部（転送手段）３２および音声出力用通信Ｉ／Ｆ（外部属性取得手段、転送手段）３３が追加されている点と、制御部２９において制御情報取得部４２に代えて、制御情報取得部（制御情報取得手段、判定手段、外部属性取得手段、転送手段）４２ａが設けられている点とが異なり、その他の構成は同様である。
【００５６】
音声出力装置６は、外部から受信した音声データに基づき音声を出力するものである。音声出力装置６は、受信機２におけるオーディオデコーダ２４、音声出力制御部３０、スピーカ３１、および音声出力用通信Ｉ／Ｆ３３と同様の機能ブロックを備えている。
【００５７】
切替部３２は、逆多重化部２３とオーディオデコーダ２４との間に設けられ、逆多重化部２３からのオーディオコンポーネントの出力先を、オーディオデコーダ２４および音声出力用通信Ｉ／Ｆ３３の何れかに、制御部２９からの指示に基づき切り替えるものである。
【００５８】
音声出力用通信Ｉ／Ｆ３３は、音声出力装置６とデータ通信を行うためのものである。本実施形態では、音声出力装置６および音声出力用通信Ｉ／Ｆ３３は、例えば、ＳＰＤＩＦ（Sony Philips Digital InterFace）、ＡＲＣ（Audio Return Channel）などのように、デジタルオーディオ信号を、そのままの形式で出力するビットストリーム出力に対応可能なものである。なお、音声出力装置６および音声出力用通信Ｉ／Ｆ３３間の通信は、有線通信であってもよいし、無線通信であってもよい。
【００５９】
制御情報取得部４２ａは、図１に示す制御情報取得部４２に比べて、以下の機能が追加されており、その他の機能は同様である。すなわち、制御情報取得部４２ａは、音声出力装置６が対応可能な音声属性情報（音声のチャンネル数、ＳＷのチャンネル数、音声フォーマットなど）を、音声出力用通信Ｉ／Ｆ３３を介して取得する機能を有する。
【００６０】
また、制御情報取得部４２ａは、逆多重化部２３からの制御情報から抽出した音声属性情報と、音声出力用通信Ｉ／Ｆ３３からの音声属性情報とに基づき、切替部３２に切替指示を行う機能を有する。具体的には、制御情報取得部４２ａは、逆多重化部２３からの音声データが、自機のオーディオデコーダ２４では対応できないものではあるが、音声出力装置６で対応可能なものである場合、上記音声データを、音声出力用通信Ｉ／Ｆ３３に出力するように、切替部３２に切替指示を行う。これにより、上記音声データは、音声出力用通信Ｉ／Ｆ３３を介して音声出力装置６にそのままの形式で出力する。なお、制御情報取得部４２ａは、上記の場合以外の場合、上記音声データを、オーディオデコーダ２４に出力するように、切替部３２に切替指示を行う。
【００６１】
次に、本実施形態において、音声属性情報に関する受信機２の処理について図６に基づいて説明する。図６は、音声属性情報に関して受信機２の制御情報取得部４２ａで実行される処理の一例を示すフローチャートである。図６に示す処理は、図４に示す処理に比べて、ステップＳ１１・Ｓ１２の処理が追加されており、その他の処理は同様である。
【００６２】
ステップＳ１１では、上記音声フォーマットがオーディオデコーダ２４にてデコード不能である場合（Ｓ２にてＮＯ）、または、上記音声のチャンネル数がオーディオデコーダ２４にてデコード不能である場合（Ｓ３にてＮＯ）、制御情報取得部４２ａは、音声出力装置６から音声出力用通信Ｉ／Ｆ３３を介しての音声属性情報を参照して、上記音声フォーマットおよび上記音声のチャンネル数は音声出力装置６にて対応可能かを判断する。上記音声フォーマットおよび上記音声のチャンネル数は音声出力装置６にて対応不能である場合（Ｓ１１にてＮＯ）、ステップＳ５に進む。
【００６３】
一方、上記音声フォーマットおよび上記音声のチャンネル数は音声出力装置６にて対応可能である場合（Ｓ１１にてＹＥＳ）、制御情報取得部４２ａは、切替部３２に切替指示を行って、逆多重化部２３からの音声データをそのままの形式で、音声出力用通信Ｉ／Ｆ３３を介して外部の音声出力装置６に転送して（Ｓ１２）、処理を終了する。
【００６４】
なお、図６に示すフローチャートにおいても、ステップＳ２およびＳ３の処理を、上述のようにステップＳ２’の処理に変更してもよい。この場合、デコード不能なものである場合（Ｓ２’にてＮＯ）、ステップＳ５の代わりにステップＳ１１に進めばよい。
【００６５】
〔実施形態３〕
本発明のさらに別の実施形態について、図７に基づいて説明すれば、以下のとおりである。なお、説明の便宜上、前記実施形態にて説明した部材と同じ機能を有する部材については、同じ符号を付記し、その説明を省略する。
【００６６】
実施形態２においては、受信機２のスピーカ３１、または、受信機２に接続された音声出力装置６の何れかから音声を出力する構成としているが、スピーカ３１及び音声出力装置６の両方から音声を出力するように構成してもよい。
【００６７】
図７は、本実施形態に係る放送信号伝送システム５の受信機２の要部構成の一例を示すブロック図である。本実施形態に係る放送信号伝送システム５は、図５に示す放送信号伝送システム５に比べて、２つの逆多重化部２３ａおよび２３ｂを備えている点と、切替部３２に代えてセレクタ３５が設けられている点とが異なり、その他の構成は同様である。
【００６８】
図示の受信機２は、２つのチューナ（不図示）および２つの復号部（不図示）を備えている。受信機２は、一方のチューナによりデジタル放送信号として送信されるコンテンツを受信し、当該コンテンツを一方の復号部により復号し、逆多重化部２３ａに出力する。また、受信機２は、他方のチューナにより、一方のチューナにより受信されたコンテンツのサイマル放送のコンテンツを受信し、当該コンテンツを他方の復号部により復号し、逆多重化部２３ｂに出力する。逆多重化部２３ａ及び２３ｂの各々の機能については、図５に示す受信機２の逆多重化部２３と同様である。
【００６９】
セレクタ３５は、オーディオデコーダ２４および音声出力用通信Ｉ／Ｆ３３に出力するオーディオコンポーネントを、逆多重化部２３ａから出力されるオーディオコンポーネント、または、逆多重化部２３ｂから出力されるオーディオコンポーネントの何れかに、制御部２９からの指示に基づき切り替えるものである。すなわち、本実施形態においては、オーディオデコーダ２４および音声出力用通信Ｉ／Ｆ３３の両方に対して、オーディオコンポーネントが出力されるように構成されている。
【００７０】
制御情報取得部４２ａは、逆多重化部２３ａおよび２３ｂからの制御情報から抽出した音声属性情報と、音声出力用通信Ｉ／Ｆ３３からの音声属性情報とに基づき、セレクタ３５に切替指示を行う機能を有する。
【００７１】
制御情報取得部４２ａからセレクタ３５に対して行う具体的な切替指示は以下の通りである。
【００７２】
（ケース１）
逆多重化部２３ａからの音声データが、オーディオデコーダ２４および音声出力装置６で対応可能である場合、オーディオデコーダ２４および音声出力用通信Ｉ／Ｆ３３に、上記音声データを出力するようにセレクタ３５に切替指示を行う。
【００７３】
（ケース２）
逆多重化部２３ａからの音声データが、オーディオデコーダ２４では対応できないものであり、かつ、音声出力装置６では対応可能である場合、オーディオデコーダ２４に対して逆多重化部２３ｂからの音声データを出力し、かつ、音声出力用通信Ｉ／Ｆ３３に対して逆多重化部２３ａからの音声データを出力するように、セレクタ３５に切替指示を行う。
【００７４】
（ケース３）
逆多重化部２３ａからの音声データが、オーディオデコーダ２４では対応可能であり、かつ、音声出力装置６では対応できないものである場合、オーディオデコーダ２４に対して逆多重化部２３ａからの音声データを出力し、かつ、音声出力用通信Ｉ／Ｆ３３に対して逆多重化部２３ｂからの音声データを出力するように、セレクタ３５に切替指示を行う。
【００７５】
これにより、受信機２は、スピーカ３１及び音声出力装置６の両方から音声を出力することができる。
【００７６】
なお、本実施形態において、制御情報には、コンテンツのサイマル放送の音声属性情報が含まれているため、逆多重化部２３ａまたは逆多重化部２３ｂの何れかからの制御情報を用いて音声属性情報を抽出する構成としてもよい。
【００７７】
〔実施形態４〕
本発明の他の実施形態について、図８〜図１０に基づいて説明すれば、以下のとおりである。なお、説明の便宜上、前記実施形態にて説明した部材と同じ機能を有する部材については、同じ符号を付記し、その説明を省略する。
【００７８】
ところで、コンテンツは、音声のチャンネル数および音声フォーマットが異なる複数の音声コンポーネントを含む場合がある。このような音声コンポーネントの例としては、音声のチャンネル数が２２．１ｃｈであり、音声フォーマットがＭＰＥＧ２−ＡＣ３である音声コンポーネント、音声のチャンネル数が５．１ｃｈであり、音声フォーマットがＬＰＣＭ（Linear PCM）である音声コンポーネント、などが挙げられる。
【００７９】
一方、受信機２には、複数セットの音声フォーマットおよび上記チャンネル数に対応可能なものがある。そこで、本実施形態では、上記コンテンツに含まれる複数の音声コンポーネントのうち、オーディオデコーダ２４にて対応可能なものの情報をディスプレイ２８にて表示し、ユーザが選択した音声コンポーネントに対しオーディオデコーダ２４がデコードを行っている。これにより、ユーザの所望する音声コンポーネントから音声を再生することができ、その結果、ユーザの利便性が向上する。
【００８０】
図８は、本実施形態に係る放送信号伝送システム５の受信機２の要部構成の一例を示すブロック図である。本実施形態の受信機２は、図１に示す受信機２に比べて、ビデオデコーダ２５と表示制御部２７との間に重畳部２６が追加されている点と、制御部２９において制御情報取得部４２に代えて、制御情報取得部（制御情報取得手段、判定手段、選択手段）４２ｂが設けられている点とが異なり、その他の構成は同様である。
【００８１】
重畳部２６は、ビデオデコーダ２５からのビデオデータに対し、他の画像データを重畳するものである。重畳されたビデオデータは、表示制御部２７に出力される。
【００８２】
制御情報取得部４２ｂは、図１に示す制御情報取得部４２に比べて、以下の機能が追加されており、その他の機能は同様である。すなわち、制御情報取得部４２ｂは、逆多重化部２３からの制御情報から抽出した音声属性情報から、或るコンテンツに含まれる複数の音声コンポーネントについて、オーディオデコーダ２４にてデコード可能か否かを判断する機能を有する。また、制御情報取得部４２ｂは、デコード可能と判断された音声コンポーネントに関する音声のチャンネル数および音声フォーマットを表示するためのデコード選択用画像データを作成し、重畳部２６に出力する機能を有する。
【００８３】
図９は、上記デコード選択用画像データがディスプレイ２８に表示された画面の一例を示す図である。図示の表示画面では、下部に、デコード可能な音声コンポーネントに関する音声のチャンネル数および音声フォーマットのセットが表示され、残りの領域に、例えば映像コンポーネントの映像など、その他の各種情報が表示されている。ユーザが、下部に表示されているセットの何れかを選択すると、制御情報取得部４２ｂは、選択されたセットの音声コンポーネントをデコードするようにオーディオデコーダ２４に指示すると共に、映像コンポーネントの映像のみを表示する通常の表示画面に戻る。
【００８４】
次に、本実施形態において、音声属性情報に関する受信機２の処理について図１０に基づいて説明する。図１０は、音声属性情報に関して受信機２の制御情報取得部４２ｂで実行される処理の一例を示すフローチャートである。図１０に示す処理は、図４に示す処理に比べて、ステップＳ２１〜Ｓ２３の処理が追加されており、その他の処理は同様である。
【００８５】
ステップＳ２１では、上記音声フォーマットがオーディオデコーダ２４にてデコード可能であり（Ｓ２にてＹＥＳ）、かつ、上記音声のチャンネル数がオーディオデコーダ２４にてデコード可能である場合（Ｓ３にてＹＥＳ）、制御情報取得部４２ｂは、デコード可能な音声コンポーネントが複数であるか否かを判断する。デコード可能な音声コンポーネントが１つである場合（Ｓ２１にてＮＯ）、ステップＳ４に進む。
【００８６】
一方、デコード可能な音声コンポーネントが複数である場合（Ｓ２１にてＹＥＳ）、制御情報取得部４２ｂは、上記デコード選択用画像データを重畳部２６に出力することにより、上記音声コンポーネントの音声のチャンネル数と音声フォーマットとを、上記音声コンポーネントごとに表示する（Ｓ２２）。そして、制御情報取得部４２ｂは、複数の音声コンポーネントのうち、ユーザが選択した音声コンポーネントを、上記音声属性情報に基づいてデコードするように、オーディオデコーダ２４に指示して（Ｓ２３）、処理を終了する。
【００８７】
なお、図１０に示すフローチャートにおいても、ステップＳ２およびＳ３の処理を、上述のようにステップＳ２’の処理に変更してもよい。この場合、デコード可能なものである場合（Ｓ２’にてＹＥＳ）、ステップＳ４の代わりにステップＳ２１に進めばよい。
【００８８】
〔変形例〕
なお、本実施形態では、デコード可能な音声コンポーネントが複数存在する場合に関するものである。一方、オーディオデコーダ２４の中には、２２．２ｃｈの音声コンポーネントを、例えば５．１ｃｈ、２ｃｈなどの音声データにダウンコンバート可能なものが存在する。
【００８９】
そこで、本実施形態を、オーディオデコーダ２４がダウンコンバート可能な音声コンポーネントが存在する場合に適用することもできる。この場合、制御情報取得部４２ｂは、図９に示す表示画面において、ユーザが選択可能な音声のチャンネル数（例えば、２２．２ｃｈ、５．１ｃｈ、２ｃｈなど）を下部に表示するような画像データを重畳部２６に出力し、ユーザが選択した音声のチャンネル数の音声データを出力するように、オーディオデコーダ２４に指示すればよい。
【００９０】
また、上記実施形態の送信機１は、コンテンツを再生するための制御情報を生成する制御情報生成装置としての機能と、デジタル放送信号を送信する送信装置としての機能とを共に備えていた。しかしながら、互いに独立した制御情報生成装置と送信装置との組み合わせによっても、上記送信機１と同様の機能を実現することができる。
【００９１】
〔ソフトウェアによる実現例〕
送信機１および受信機２の制御ブロック（特に制御部１５および制御部２９）は、集積回路（ＩＣチップ）等に形成された論理回路（ハードウェア）によって実現してもよいし、ＣＰＵ（Central Processing Unit）を用いてソフトウェアによって実現してもよい。
【００９２】
後者の場合、送信機１および受信機２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９３】
〔まとめ〕
本発明の態様１に係る放送信号送信装置（送信機１）は、デジタル放送信号を送信する放送信号送信装置であって、コンテンツを変換した複数のトランスポートストリームパケットと、該複数のトランスポートストリームパケットから上記コンテンツを再構成するための制御情報（ＰＭＴ）を含むトランスポートストリームパケットとを、上記デジタル放送信号として生成するパケット生成手段（多重化部１２、制御情報生成部１８）と、上記コンテンツの音声コンポーネントに関する属性情報を取得する属性取得手段（音声属性取得部１７）と、を備えており、上記制御情報は、上記属性情報を含んでいる。
【００９４】
上記の構成によれば、コンテンツを再構成するための制御情報には、当該コンテンツの音声コンポーネントに関する属性情報（音声属性情報）が含まれている。これにより、上記コンテンツを変換した複数のトランスポートストリームパケットと、上記制御情報を含むトランスポートストリームパケットとを、デジタル放送信号として受信する受信装置は、上記制御情報に基づき上記コンテンツを再構成する時には、当該コンテンツの音声属性情報が既に取得されている。従って、再構成されたコンテンツを再生する前に、該コンテンツの音声コンポーネントが自装置にて再生可能かを判定することができ、その結果、当該判定を従来よりも迅速に行うことができる。
【００９５】
本発明の態様２に係る放送信号受信装置（受信機２）は、複数のトランスポートストリームパケットをデジタル放送信号として受信する放送信号受信装置であって、上記複数のトランスポートストリームパケットの中から、制御情報（ＰＭＴ）を含むトランスポートストリームパケットを選択して当該制御情報を取得する制御情報取得手段（制御情報取得部４２）と、該制御情報取得手段が取得した制御情報に基づいて、上記複数のトランスポートストリームパケットからコンテンツを再構成する再構成手段（逆多重化部２３）と、を備えており、上記制御情報は、上記コンテンツの音声コンポーネントに関する属性情報を含んでおり、上記制御情報から抽出した上記属性情報に基づいて、上記音声コンポーネントから音声を自装置にて再生可能かを判定する判定手段（制御情報取得部４２）をさらに備えている。
【００９６】
上記の構成によれば、デジタル放送信号として受信した複数のトランスポートストリームパケットの中から、制御情報を含むトランスポートストリームパケットを選択して当該制御情報を取得し、取得した制御情報に基づいて、上記複数のトランスポートストリームパケットからコンテンツを再構成する。この時には、制御情報に含まれる、上記コンテンツの音声コンポーネントに関する属性情報（音声属性情報）は既に取得されている。従って、再構成されたコンテンツを再生する前に、該コンテンツの音声コンポーネントから音声を自装置にて再生可能かを判定することができ、その結果、当該判定を従来よりも迅速に行うことができる。
【００９７】
本発明の態様３に係る放送信号受信装置は、上記態様２において、自機に通信可能に接続された外部の音声再生装置から、該音声再生装置にて音声を再生可能な音声コンポーネントの属性情報を取得する外部属性取得手段をさらに備えており、上記判定手段は、上記外部属性取得手段が取得した上記属性情報に基づいて、上記コンテンツの音声コンポーネントから音声を上記音声再生装置にて再生可能かをさらに判定しており、該判定の結果、上記音声再生装置にて再生可能である場合、上記再構成手段が再構成した上記音声コンポーネントを上記外部の音声再生装置に転送する転送手段をさらに備えていてもよい。
【００９８】
上記の構成によれば、再構成されたコンテンツを再生する前に、該コンテンツの音声コンポーネントから音声を外部の音声再生装置にて再生可能であると判定し、再構成されたコンテンツの音声コンポーネントを上記音声再生装置に転送することができる。その結果、上記音声コンポーネントが自装置にて再生不能であっても、外部の音声再生装置にて迅速に再生して出力することができる。
【００９９】
本発明の態様４に係る放送信号受信装置は、上記態様２または３において、上記コンテンツは、内容が同じであり上記属性情報が異なる複数の音声コンポーネントを含んでおり、上記判定手段の判定の結果、上記複数の音声コンポーネントから音声を自装置にて再生可能である場合、上記音声コンポーネントの何れかをユーザに選択させる選択手段（制御情報取得部４２ｂ）をさらに備えてもよい。上記の構成によれば、ユーザの所望する音声コンポーネントから音声を再生することができ、その結果、ユーザの利便性が向上する。
【０１００】
本発明の態様５に係るテレビジョン受像機は、上記態様２から４に記載の受信装置を含んでいる。よって、上記態様２〜４の放送信号受信装置と同様の作用効果を奏する。
【０１０１】
本発明の態様６に係る放送信号伝送システム（５）は、上記態様１に記載の放送信号送信装置と、上記態様２から４に記載の放送信号受信装置とを含んでいる。よって、上記態様１に記載の放送信号送信装置と、上記態様２から４に記載の放送信号受信装置と同様の作用効果を奏する。
【０１０２】
なお、上記属性情報は、上記音声コンポーネントから音声を再生するのに必要な情報を含むことが好ましい。当該情報の例としては、上記音声の音声フォーマット、チャンネル数、サンプリング周波数、量子化ビット数、などが挙げられる。
【０１０３】
また、上記属性情報は、上記コンテンツのサイマル放送を特定するための情報を含んでもよい。この場合、上記受信装置は、再構成されたコンテンツを再生する前に、該コンテンツの音声が自装置にて再生不能であると判定し、上記属性情報を参照して、受信する放送信号を上記コンテンツのサイマル放送の信号に切り替えることができる。その結果、上記サイマル放送への切替えを迅速に行うことができる。
【０１０４】
本発明の各態様に係る放送信号送信装置および放送信号受信装置は、それぞれ、コンピュータによって実現してもよく、この場合には、コンピュータを上記放送信号送信装置および放送信号受信装置が備える各手段として動作させることにより上記放送信号送信装置および放送信号受信装置をコンピュータにて実現させる制御プログラム、およびそれを記録したコンピュータ読み取り可能な記録媒体も、本発明の範疇に入る。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０７】
本発明は、コンテンツを再構成するための制御情報には、当該コンテンツの音声コンポーネントに関する属性情報が含むことにより、再構成されたコンテンツを再生する前に、該コンテンツの音声コンポーネントが自装置にて再生可能かを判定できるので、上記制御情報を伝送する任意の放送信号伝送システムに適用することができる。
【符号の説明】
【０１０８】
１  送信機（放送信号送信装置）
２  受信機（放送信号受信装置）
５  放送信号伝送システム
６  音声出力装置（音声再生装置）
１０  オーディオエンコーダ
１１  ビデオエンコーダ
１２  多重化部（パケット生成手段）
１３  暗号化部
１４  送信部
１５  制御部
１６  エンコード制御部
１７  音声属性取得部（属性取得手段）
１８  制御情報生成部（パケット生成手段）
２０  チューナ
２２  復号部
２３  逆多重化部（再構成手段）
２４  オーディオデコーダ
２５  ビデオデコーダ
２６  重畳部
２７  表示制御部
２８  ディスプレイ
２９  制御部
３０  音声出力制御部
３１  スピーカ
３２  切替部（転送手段）
３３  音声出力用通信Ｉ／Ｆ（外部属性取得手段、転送手段）
４０  復号制御部
４１  逆多重化制御部（再構成手段）
４２  制御情報取得部（制御情報取得手段、判定手段）
４２ａ  制御情報取得部（制御情報取得手段、判定手段、外部属性取得手段、転送手段）４２ｂ  制御情報取得部（制御情報取得手段、判定手段、選択手段）
【図１】
2018196130.tif 000003
【図２】
2018196130.tif 000004
【図３】
2018196130.tif 000005
【図４】
2018196130.tif 000006
【図５】
2018196130.tif 000007
【図６】
2018196130.tif 000008
【図７】
2018196130.tif 000009
【図８】
2018196130.tif 000010
【図９】
2018196130.tif 000011
【図１０】
2018196130.tif 000012